(57)【要約】【課題】接続信頼性が高い回路構成体および電気接続箱を提供する。【解決手段】接続用開口部を有する基板と、基板の一面側に接着シートを介して積層された複数のバスバーと、本体部および複数のリード端子を有し、リード端子が接続用開口部を通して露出された複数のバスバーに接続されることにより基板の他面側に配された電子部品と、複数のバスバーのうち基板と反対側の面に接着剤を介して積層された放熱板と、を備えた回路構成体であって、接着シートは、複数のバスバーを露出させて複数のリード端子を複数のバスバーに接続させるためのシート開口部を有し、かつ、接続用開口部内に位置する複数のバスバーの間の隙間を覆っている。【選択図】図３
2015220776.tif 000002
【特許請求の範囲】
【請求項１】
接続用開口部を有する基板と、
前記基板の一面側に接着シートを介して積層された複数のバスバーと、
本体部および複数のリード端子を有し、前記リード端子が前記接続用開口部を通して露出された前記複数のバスバーに接続された電子部品と、
前記複数のバスバーのうち前記基板と反対側の面に接着剤を介して積層された放熱板と、を備えた回路構成体であって、
前記接着シートは、前記複数のバスバーを露出させて前記複数のリード端子を前記複数のバスバーに接続させるためのシート開口部を有し、かつ、前記接続用開口部内に位置する前記複数のバスバーの間の隙間を覆っている回路構成体。
【請求項２】
請求項１に記載の回路構成体をケースに収容してなる電気接続箱。
【発明の詳細な説明】
【技術分野】
【０００１】
本明細書によって開示される技術は、回路構成体および電気接続箱に関する。
【背景技術】
【０００２】
従来より、車載電装品の通電や断電を実行する装置として、種々の電子部品が実装された回路基板を備える回路構成体をケースに収容してなるものが知られている。
【０００３】
このような装置において、回路基板に実装される電子部品は小型で優れた機能を有する。
【先行技術文献】
【特許文献】
【０００４】
【特許文献１】特開２０１３−９９０７１号公報
【発明の概要】
【発明が解決しようとする課題】
【０００５】
しかし、これらの電子部品は比較的発熱量が大きいため、電子部品から発生した熱がケース内にこもるとケース内が高温になり、ケース内に収容された電子部品の性能が低下する虞があった。
【０００６】
そこで、回路基板や電子部品から発生した熱を放熱する様々な構造として、例えば、図７に示すように、回路基板１１２のうち電子部品１１５が配された面の反対側の面に、放熱部材１３０を設けた構成の回路構成体１１１が考えられる。
【０００７】
一方、図６および図７に示すように、回路基板１１２のうち電子部品１１５に対応する領域に開口１１３を設けるとともに、回路基板１１２のうち電子部品１１５が配される面の反対側の面に複数のバスバー１２０を設け、電子部品１１５の端子１１７を開口１１３を通して露出されたバスバー１２０に接続する構成が考えられる。複数のバスバー１２０によって電力回路を構成することにより、電力回路に大電流を流すことが可能となる。
【０００８】
しかし、回路基板１１２に設けられた開口１１３を通して電子部品１１５を複数のバスバー１２０に接続する場合、図７に示すように、バスバー１２０のうち回路基板１１２の反対側に面に積層された放熱部材接着用の接着剤１３５が隣り合うバスバー１２０の間の隙間Ｓ内に進入し、電子部品１１５の本体部１１６の下面に接触する場合がある。このような状態となると、回路基板１１２や電子部品１１５から発生した熱により接着剤１３５が膨張したり、逆に、冷却により収縮した場合に、電子部品１１５が接着剤１３５により押し上げられたり、引き込まれたりして、端子１１７とバスバー１２０との接続部分にクラックが入る等の接続不良が生じる虞がある。
【０００９】
本明細書に開示される技術は上記のような事情に基づいて完成されたものであって、接続信頼性が高い回路構成体および電気接続箱を提供することを目的とするものである。
【課題を解決するための手段】
【００１０】
本明細書に開示される技術は、接続用開口部を有する基板と、前記基板の一面側に接着シートを介して積層された複数のバスバーと、本体部および複数のリード端子を有し、前記リード端子が前記接続用開口部を通して露出された前記複数のバスバーに接続されることにより前記基板の他面側に配された電子部品と、前記複数のバスバーのうち前記基板と反対側の面に接着剤を介して積層された放熱板と、を備えた回路構成体であって、前記接着シートは、前記複数のバスバーを露出させて前記複数のリード端子を前記複数のバスバーに接続させるためのシート開口部を有し、かつ、前記接続用開口部内に位置する前記複数のバスバーの間の隙間を覆っていることを特徴とする。
【００１１】
本明細書に開示される技術によれば、接続用開口部内において、隣り合うバスバーの間の隙間は接着シートにより覆われているから、隙間内に進入した接着剤が電子部品の本体部の下面に直接接触することが防止される。また、このように配された接着シートは接着剤を隙間内に抑え込む作用を有するから、接着シートが配されていない場合と比較して、電子部品が接着剤から受ける影響を軽減させることができる。よって、接続信頼性が高い回路構成体および電気接続箱を得ることができる。
【００１２】
本明細書に開示される技術は、上記回路構成体をケースに収容してなる電気接続箱である。
【発明の効果】
【００１３】
本明細書に開示された技術によれば、回路構成体又は電気接続箱において、接続信頼性を向上させることができる。
【図面の簡単な説明】
【００１４】
【図１】一実施形態の回路構成体の一部の分解斜視図
【図２】電気接続箱の中の平面図
【図３】コイルを配する前の接続用開口部の一部拡大平面図
【図４】コイルをバスバーに接続した状態の一部拡大平面図
【図５】図４のＡ−Ａ線における一部断面図
【図６】仮想的な技術に係る、コイルをバスバーに接続した状態の一部拡大平面図
【図７】図６のＢ−Ｂ線における一部断面図
【発明を実施するための形態】
【００１５】
一実施形態を図１ないし図５によって説明する。
【００１６】
本実施形態の電気接続箱１０は、回路基板１２、および、放熱板３０を含む回路構成体１１と、回路構成体１１を収容する合成樹脂製のケース４０と、を備える。なお、以下の説明においては、図１における上側を、表側又は上側とし、下側を、裏側又は下側として説明する。
【００１７】
図１に示すように、回路構成体１１は、回路基板１２と、回路基板１２の表面（図１における上面）に配されたコイル１５（電子部品の一例）と、回路基板１２の裏面（図１における下面）に配された複数のバスバー２０と、バスバー２０の裏面に配された放熱板３０（図５参照）とを備える。
【００１８】
回路基板１２は略Ｌ字形状をなし、その表面には、プリント配線技術により図示しない導電回路が形成されている。
【００１９】
コイル１５は表面実装型のコイルであって、図１および図５に示すように、直方体状の本体部１６を有し、本体部１６の底面のうちの対向２辺の縁部周辺に一対のリード端子１７が設けられた形態をなしている。
【００２０】
複数のバスバー２０は、金属板材を所定形状にプレス加工してなる。バスバー２０は概ね矩形状をなしており、隣り合うバスバー２０との間に隙間Ｓを介して所定のパターンで配策されている。いくつかのバスバー２０の側縁には、外方に突出する接続片２１が、バスバー２０と一体に形成されている。これら接続片２１にはボルトを挿通するためのボルト取り付け孔２１Ａが貫通して形成されており、これらのボルト取り付け孔２１Ａに図示しないボルトが挿通されるとともに車両に取り付けられた電源端子と螺合されることにより、接続片２１は外部電源と電気的に接続されるようになっている。
【００２１】
複数のバスバー２０は、回路基板１２の裏面に、絶縁性の接着シート２５を介して接着されている。接着シート２５の外形は、回路基板１２の外形とほぼ同形状をなしている。
【００２２】
図１に示すように、回路基板１２のうちコイル１５が配される位置には、コイル１５をバスバー２０上に実装するための接続用開口部１３が形成されている。図４に示すように、接続用開口部１３のうちコイル１５の本体部１６が配される部分は、本体部１６の底面より僅かに大きい矩形状に開口している。また、コイル１５のリード端子１７が位置する一対の縁部側には、幅が短い開口（以下拡張部１３Ａとする）が拡張して設けられている。接続用開口部１３内には、一対のバスバー２０の一部が配されている。
【００２３】
一方、接着シート２５には、コイル１５のリード端子１７をバスバー２０上に実装するための一対のシート開口部２６が設けられている。シート開口部２６は、図３に示すように、略正方形状の開口であって、その一部が一対の拡張部１３Ａに重なる位置に設けられている。より詳細には、シート開口部２６は、その開口縁部の一部が拡張部１３Ａの開口縁部より僅かに外側に位置するように（やや大きな開口寸法となるように）設けられており、回路基板１２の接続用開口部１３内において、バスバー２０の一部を露出させている。
【００２４】
また、シート開口部２６は、接続用開口部１３内において、その開口縁部が隣り合うバスバー２０の間の隙間Ｓにかからないように設けられている。換言すると、接着シート２５は、接続用開口部１３内において、隣り合うバスバー２０の間の隙間Ｓを上面側から覆う形態とされている。
【００２５】
コイル１５は、回路基板１２の表面側のうち、接続用開口部１３が設けられた領域に配されている。本実施形態においては、コイル１５のリード端子１７は、例えばハンダ付け等公知の手法により、接続用開口部１３およびシート開口部２６を通して露出されたバスバー２０の表面に接続されている。
【００２６】
バスバー２０の下面（裏面）には、放熱板３０が配置されている（図５参照）。放熱板３０は、例えばアルミニウムやアルミニウム合金等の熱伝導性に優れる金属材料からなる板状部材であり、回路基板１２およびコイル１５において発生した熱を放熱する機能を有する。放熱板３０は、例えば熱硬化性の接着剤３５によりバスバー２０の裏面側に接着されている。接着剤３５は、絶縁性かつ熱伝導性を有する接着剤である。
【００２７】
続いて、本実施形態に係る電気接続箱１０の製造工程の一例を説明する。まず、図１に示すように、表面にプリント配線技術により導電路が形成された回路基板１２の下面に、所定の形状に切断された接着シート２５を重ね合わせるとともに、複数のバスバー２０を所定のパターンで並べた状態で加圧する。これにより、回路基板１２および複数のバスバー２０は接着シート２５を介して互いに接着・固定される。この状態において、複数のバスバー２０の上面の一部（コイル１５のリード端子１７が実装される領域）は、回路基板１２の接続用開口部１３および接着シート２５のシート開口部２６を通して露出された状態とされている。
【００２８】
続いて、スクリーン印刷により回路基板１２の所定の位置にはんだを塗布する。その後、所定の位置にコイル１５を載置し、リフローはんだ付けを実行する。
【００２９】
次に、放熱板３０の上面に接着剤３５を塗布し、コイル１５および複数のバスバー２０を配した回路基板１２を上方から重ね合わせる。この時、回路基板１２の接続用開口部１３内に位置する隣り合うバスバー２０の間の隙間Ｓは、接着シート２５により覆われているから、隙間Ｓに進入した接着剤３５がコイル１５の本体部１６の下面に直接接触することはない（図５参照）。その後加熱を行うことにより、接着剤３５を硬化させる。
【００３０】
最後に、放熱板３０が重ねられた回路基板１２（回路構成体）をケース４０内に収容し、電気接続箱１０とする。
【００３１】
続いて、本実施形態に係る電気接続箱１０の作用、効果について説明する。本実施形態によれば、接続用開口部１３内において隣り合うバスバー２０の間の隙間Ｓに接着剤３５が進入した場合でも、接着剤３５は接着シート２５により隙間Ｓ内に抑え込まれる。従って、接着剤３５が熱により膨張したり、逆に収縮した場合でも、接着シート２５が配されていない場合と比較して、コイル１５が接着剤３５から受ける影響を軽減させることができる。すなわち、接続信頼性が高い回路構成体および電気接続箱を得ることができる。
【００３２】
＜他の実施形態＞
本明細書によって開示される技術は上記記述及び図面によって説明した実施形態に限定されるものではなく、例えば次のような種々の態様も含まれる。
【００３３】
（１）上記実施形態では、一対のリード端子１７をバスバー２０に接続する構成を示したが、例えば、リード端子１７の一方を回路基板１２の導電路に接続する構成としてもよく、この場合、接着シート２５のシート開口部２６はひとつ設ければよい。
【００３４】
（２）シート開口部２６の位置や形状、数は、上記実施形態に限るものではなく、適宜変更することができる。要は、リード端子１７がバスバー２０に接続可能で、かつ、接着シート２５が隣り合うバスバー２０の間の隙間Ｓを覆う構成であればよい。
【００３５】
（３）上記実施形態では、コイル１５を実装する例を示したが、コイル１５に限らず、コンデンサやシャント抵抗等、他の電子部品を実装する場合に適用することもできる。
【符号の説明】
【００３６】
１０…電気接続箱
１１…回路構成体
１２…回路基板
１３…接続用開口部
１５…コイル
１６…本体部
１７…リード端子
２０…バスバー
２５…接着シート
２６…シート開口部
３０…放熱板
３５…接着剤
４０…ケース
Ｓ…隙間
【図１】
2015220776.tif 000003
【図２】
2015220776.tif 000004
【図３】
2015220776.tif 000005
【図４】
2015220776.tif 000006
【図５】
2015220776.tif 000007
【図６】
2015220776.tif 000008
【図７】
2015220776.tif 000009